(57)【要約】【課題】本発明は、モニターのスクリーン上でユーザ選択領域のコードを制御する方法を提供する。【解決手段】本発明は、表示するイメージの一番目のラインの開始点を新しい基準点に決定するステップと、表示するイメージのイメージラインのうち何れか一つに含まれ、両端がユーザ選択領域の垂直エッジと垂直に整列されるインディケーターを含んでいるラインパターンを検出するステップと、基準点から両垂直エッジまでの水平距離を測定するステップと、測定された水平距離値を用いてハイライト領域をサーチするステップと、サーチしたハイライト領域の輝度利得を増幅するステップから構成することとした。【選択図】図１
2006189889.tif 000002
【特許請求の範囲】
【請求項１】
表示するイメージの一番目のイメージラインの開始点を新しい基準点に決定するステップと、
その両端がユーザ選択領域の両垂直エッジと水平に整列されるインディケーターを含み、前記表示するイメージのイメージラインのうち、何れかに含まれているラインパターンを検出するステップと、
前記基準点から前記ユーザ選択領域の両垂直エッジまでの水平距離を測定するステップと、
前記測定した水平距離からハイライト領域の水平座標値を計算してハイライト領域をサーチするステップと、
また、前記サーチしたハイライト領域の輝度利得を増幅するステップと、
からなることを特徴とするイメージディスプレイ装置のユーザ選択領域輝度の制御方法。
【請求項２】
前記輝度利得は前記パターンに含まれる輝度パラメーターによって増幅することを特徴とする請求項１に記載のイメージディスプレイ装置のユーザ選択領域輝度の制御方法。
【請求項３】
前記ラインパターンに含まれるオリジナルチェックサムを検出するステップ及び、
新しいチェックサムを計算し前記パターンの検証のために前記新しいチェックサムを前記オリジナルチェックサムと比較するステップと
を含めることを特徴とする請求項１に記載のイメージディスプレイ装置のユーザ選択領域輝度の制御方法。
【請求項４】
前記ハイライト領域の座標値は前記パターンが検証された場合にのみ計算されることを特徴とする請求項３に記載のイメージディスプレイ装置のユーザ選択領域輝度の制御方法。
【請求項５】
前記ユーザ選択領域の両垂直エッジの水平距離は前記パターンが含まれたイメージラインの開始点から前記インディケーターの両端までの水平距離を測定することで測られることを特徴とする請求項１に記載のイメージディスプレイ装置のユーザ選択領域輝度の制御方法。
【請求項６】
前記インディケーター両端の水平距離は前記パターンが含まれたイメージラインの開始点と前記インディケーターの両端との間に各々位置している画素をカウントすることで測られることを特徴とする請求項５に記載のイメージディスプレイ装置のユーザ選択領域輝度の制御方法。
【請求項７】
前記パターンは前記パターンが含まれたイメージラインから前記ユーザの選択領域までの垂直距離に対する情報を更に含んでいることを特徴とする請求項１に記載のイメージディスプレイ装置のユーザ選択領域輝度の制御方法。
【請求項８】
前記ハイライト領域は前記基準点と前記パターンが含まれたイメージラインとの間の垂直なオフセット距離を用いて前記ハイライト領域の垂直な座標値を計算することでサーチすることを特徴とする請求項７に記載のイメージディスプレイ装置のユーザ選択領域輝度の制御方法。
【請求項９】
前記ハイライト領域の水平座標値が前記ユーザ選択領域の両垂直エッジの水平距離値と同一であることを特徴とする請求項１に記載のイメージディスプレイ装置のユーザ選択領域輝度の制御方法。
【請求項１０】
表示するイメージの一番目のイメージラインの開始点を基準点として決定するステップと、
パターンが含まれたイメージラインからユーザ選択領域までの垂直距離に対する情報を含み、前記表示するイメージのイメージライン間の何れか一つに含まれるラインパターンを検出するステップと、
前記基準点と前記パターンが含まれたイメージライン間の垂直オフセット距離を測定するステップと、
前記測定したオフセット距離からハイライト領域の垂直座標値を計算して前記ハイライト領域をサーチするステップと、
また、前記サーチしたハイライト領域の輝度利得を増幅するステップと
を含めてなることを特徴とするイメージディスプレイ装置のユーザ選択領域輝度の制御方法。
【請求項１１】
前記輝度利得は前記パターンに含まれた輝度パラメーターによって増幅することを特徴とする請求項１０に記載のイメージディスプレイ装置のユーザ選択領域輝度の制御方法。
【請求項１２】
前記ラインパターンに含まれたオリジナルチェックサムを検出するステップと、
新しいチェックサムを計算し前記パターンの検証のために前記新しいチェックサムを前記オリジナルチェックサムと比較するステップと
を更に含んでいることを特徴とする請求項１０に記載のイメージディスプレイ装置のユーザ選択領域輝度の制御方法。
【請求項１３】
前記ハイライト領域の座標値は前記パターンが検証された場合にだけ計算することを特徴とする請求項１２に記載のイメージディスプレイ装置のユーザ選択領域輝度の制御方法。
【請求項１４】
前記垂直オフセット距離は、前記基準点と前記パターンが含まれたイメージライン間に位置する各イメージラインをカウントすることで測定されることを特徴とする請求項１０に記載のイメージディスプレイ装置のユーザ選択領域輝度の制御方法。
【請求項１５】
前記パターンは、両端が前記ユーザ選択領域の両垂直エッジと水平に整列されるインディケーターを更に含んでいることを特徴とする請求項１０に記載のイメージディスプレイ装置のユーザ選択領域輝度の制御方法。
【請求項１６】
前記ハイライト領域は、前記基準点から前記ユーザ選択領域の垂直エッジまでの水平距離を用いて前記ハイライト領域の水平座標値を計算することでサ−チされることを特徴とする請求項１５に記載のイメージディスプレイ装置のユーザ選択領域輝度の制御方法。
【請求項１７】
前記ハイライト領域の垂直座標値は、前記ユーザ選択領域の垂直距離値に前記測定したオフセット距離値を加えることで得られることを特徴とする請求項１０に記載のイメージディスプレイ装置のユーザ選択領域輝度の制御方法。
【請求項１８】
表示するイメージの一番目のイメージラインの開始点を新しい基準点に決定するステップと、
その両端がユーザ選択領域の垂直なエッジと水平に整列されるインディケーターを含んでおり、パターンが含まれたイメージラインから前記ユーザ選択領域までの垂直距離に対する情報を更に含んでおり、前記表示するイメージのイメージラインのうち、何れか一つに含まれているラインパターンを検出するステップと、
前記基準点から前記垂直エッジまでの水平距離を測定し、前記基準点と前記パターンが含まれたイメージライン間の垂直オフセット距離を測定するステップと、
前記測定した水平距離から計算する水平座標値と、前記測定したオフセット距離から計算する垂直座標値を計算してハイライト領域をサーチするステップと、
前記識別したハイライト領域の輝度利得を増幅するステップと
からなることを特徴とするイメージディスプレイ装置のユーザ選択領域輝度の制御方法。
【請求項１９】
前記輝度利得は前記パターンに含まれた輝度パラメーターによって増幅することを特徴とする請求項１８に記載のイメージディスプレイ装置のユーザ選択領域輝度の制御方法。
【請求項２０】
前記ラインパターンに含まれたオリジナルチェックサムを検出するステップと、
新しいチェックサムを計算し前記パターンの検証のために前記新しいチェックサムを前記オリジナルチェックサムと比較するステップと
からなることを特徴とする請求項１８に記載のイメージディスプレイ装置のユーザ選択領域輝度の制御方法。
【請求項２１】
前記ハイライト領域の水平及び垂直座標値は前記パターンが検証された場合にのみ計算されることを特徴とする請求項２０に記載のイメージディスプレイ装置のユーザ選択領域輝度の制御方法。
【請求項２２】
前記垂直エッジの水平距離は前記パターンが含まれたイメージラインの開始点から前記インディケーターの両端までの水平距離を測定することで測られることを特徴とする請求項１８に記載のイメージディスプレイ装置のユーザ選択領域輝度の制御方法。
【請求項２３】
前記インディケーター両端の水平距離は前記パターンが含まれたイメージラインの開始点と前記インディケーターの両端との間に各々位置した画素をカウントすることで測定することを特徴とする請求項２２に記載のイメージディスプレイ装置のユーザ選択領域輝度の制御方法。
【請求項２４】
前記垂直オフセット距離は、前記基準点と前記パターンが含まれたイメージラインとの間に位置する各々のイメージラインをカウントすることで測定されることを特徴とする請求項１８に記載のイメージディスプレイ装置のユーザ選択領域輝度の制御方法。
【請求項２５】
前記ハイライト領域の水平座標値は前記ユーザ選択領域の両垂直エッジの水平距離値と同一であることを特徴とする請求項１８に記載のイメージディスプレイ装置のユーザ選択領域輝度の制御方法。
【請求項２６】
前記ハイライト領域の垂直座標値は、前記ユーザ選択領域の垂直距離値に前記測定したオフセット距離値を加えることで得られることを特徴とする請求項１８に記載のイメージディスプレイ装置のユーザ選択領域輝度の制御方法。
【発明の詳細な説明】
【技術分野】
【０００１】
本発明は、イメージディスプレイ装置に関するもので、特に、イメージディスプレイ装置においてユーザ選択領域の輝度を制御する方法に関する。
【背景技術】
【０００２】
一般に、コンピューター関連のディスプレイシステムは映像及びテキストを含む様々な形態のデータをディスプレイするための陰極線管（Ｃathod  Ray  Tube：CRT）モニターを用いる。前記ＣＲＴモニター上にモーションピクチャー、グラフィック及び写真などのような映像データをディスプレイするためには一般的に非常に高いレベルの輝度が要求される。
【０００３】
その理由は生動感のある陰影とカラーへの変化を提供するために多様なカラーが用いられるからである。また、ＣＲＴモニター上で映像データの輝度範囲を増加するとビデオイメージのコントラストと輝度が多様になるので画質の改善が可能である。
【０００４】
しかしながら、前記映像データをディスプレイする場合、ＣＲＴモニターを含む既存のコンピューター関連のディスプレイシステムはＴＶシステムに比べて十分な輝度を提供していなかった。
例えば、ＴＶシステム用映像信号（例えば、放送用ビデオ信号又はその他ＴＶ画面ディスプレイ用信号）がＣＲＴモニターにディスプレイされる時、ディスプレイされた映像の輝度は典型的に低すぎてぼけているだけではなく、映像が暗すぎる。
【０００５】
これは既存のコンピューター関連のディスプレイシステムの輝度パラメーターが通常ＴＶシステムの輝度パラメーターより遙かに低いからである。
前記問題を解決するためにはＣＲＴ画面上で他の領域の輝度を相対的に低く維持しながらユーザ選択領域の輝度を大きく増加させる方法が非常に望ましい。
これにより、全体画面の輝度を増加させることなくユーザが選択した領域の画質を大きく改善できる。
【発明の開示】
【発明が解決しようとする課題】
【０００６】
本発明は、上記従来技術の問題点を解決するためのもので、全体画面の輝度を増加させることなくユーザが選択した領域の画質を改善できるイメージディスプレイ装置のユーザ選択領域輝度の制御方法を提供することが目的である。
【０００７】
又、本発明の目的は、ビデオカードから受信するビデオ信号と水平同期信号との間に発生する遅延を補償することができるイメージディスプレイ装置のユーザ選択領域輝度の制御方法を提供することが目的である。
【０００８】
本発明の更なる他の目的は、ＰＣのＣＲＴモニターとアプリケーションとの間の互いに違うディスプレイセッティングによる垂直オフセットを補償することができるイメージディスプレイ装置のユーザ選択領域輝度の制御方法を提供することが目的である。
【課題を解決するための手段】
【０００９】
上記目的を達成するための本発明によるイメージディスプレイ装置のユーザ選択領域輝度の制御方法は、表示するイメージの一番目のイメージラインの開始点を新しい基準点に決定するステップと、両端がユーザ選択領域の両垂直エッジに対して水平に整列されるインディケーターを含み、前記ディスプレイしたイメージのイメージラインのうち、何れかに含まれているラインパターンを検出するステップと、前記基準点から前記ユーザ選択領域の両垂直エッジまでの水平距離を測定するステップと、前記測定した水平距離からハイライト領域の水平座標値などを計算してハイライト領域をサーチするステップと、また、前記サーチしたハイライト領域の輝度利得を増幅するステップと、からなることを特徴とする。
【００１０】
本発明の他の特徴は、表示するイメージの一番目のイメージラインの基準点を決定するステップと、パターンが含まれたイメージラインからユーザ選択領域までの垂直距離に対する情報を含め、前記ディスプレイしたイメージのイメージライン間の何れか一つに含まれるラインパターンを検出するステップと、前記基準点と前記パターンが含まれたイメージライン間の垂直オフセット距離を測定するステップと、前記測定したオフセット距離からハイライト領域の垂直座標値を計算して前記ハイライト領域をサーチするステップと、また、前記サーチしたハイライト領域の輝度利得を増幅するステップとを含めてなることを特徴とする。
【００１１】
又、本発明の他の特徴は、表示するイメージの一番目のイメージラインの開始点を新しい基準点に決定するステップと、両端がユーザ選択領域の垂直なエッジと水平に整列されるインディケーターを含んでおり、パターンが含まれたイメージラインから前記ユーザ選択領域までの垂直距離に対する情報を更に含んでおり、前記ディスプレイしたイメージのイメージラインのうち、何れか一つに含まれいるラインパターンを検出するステップと、前記基準点から前記垂直エッジまでの水平距離を測定し、前記測定点と前記パターンが含まれたイメージライン間の垂直オフセット距離を測定するステップと、前記測定した水平距離から計算する水平座標値と、前記測定したオフセット距離から計算する垂直座標値を計算してハイライト領域をサーチするステップと、
前記識別したハイライト領域の輝度利得を増幅するステップとからなることを特徴とする。
【発明を実施するための最良の形態】
【００１２】
以下、添付の図面を参照して本発明を更に詳細に説明する。
図１は、本発明によるイメージディスプレイシステムを示す図である。
前記システムは映像信号（Ｒ／Ｇ／Ｂ信号）と水平及び垂直同期信号（Ｈ―ＳＹＮＣ及びＶ―ＳＹＮＣ）を生成するイメージソースデバイス１００（例えば、コンピューター）と、イメージソースデバイス１００から映像信号及び同期信号を受信し、受信した映像及び同期信号に基づきイメージをディスプレイするＣＲＴモニター２００を含んでいる。
【００１３】
イメージソースデバイス１００はオリジナルイメージを示す情報を受信し、前記オリジナルイメージの一番目のイメージラインに一つのラインパターンを追加するアプリケーションユニット１０２（例えば、インストールしたプログラム又はドライバー）及び前記パターンが追加されたオリジナルイメージをディスプレイする情報を受信し映像信号とＨ―ＳＹＮＣ及びＶ―ＳＹＮＣ信号を生成するビデオカード１０１を含む。前記ラインパターンはオリジナルイメージでユーザによって選択された領域の座標情報を含んでいる。
【００１４】
ＣＲＴモニター２００はパネルキー２０４、マイクロコンピューター２０２、ハイライトビデオ前段増幅器２０１、主ビデオ増幅器２０３、及びＣＲＴ２０５を含む。前記ハイライトビデオ前段増幅器２０１はビデオカ−ド１０１からＲ／Ｇ／Ｂ信号及びＳＹＮＣ信号を受信し、アプリケーションユニット１０２によって既に含まれたパターンを検出することでユーザによって選択された領域の輝度を調節する。前記ＣＲＴモニターのマイクロコンピューター２０２は前記ビデオカード１０１から受信したドライブ信号に応答してイメージを適切にディスプレイできるように前記ハイライトビデオ前段増幅器２０１に画素周波数を提供する。前記パネルキー２０４はＣＲＴモニター２００のディスプレイセッティングを制御するためにユーザから受信した命令語を入力し、前記主ビデオ増幅器２０３は各々のＲ／Ｇ／Ｂ信号を増幅する。また、ＣＲＴ２０５は前記増幅した信号をディスプレイする。
【００１５】
図２はアプリケーションユニット１０２がビデオカード１０１に提供するイメージ情報によってディスプレイされるアクティブイメージを示す図である。イメージソースデバイス１００のアプリケーションユニット１０２は、ユーザがハイライトするのに必要な所定の領域（四角形のボックス）を選択できるようにする。前記所定領域は例えば、イメージソースデバイス１００に接続したマウス（図示せず）によって制御されるマウスポインターで所定領域の左上端のコーナーをクリックした後、前記マウスポインターを前記所定領域の左下端のコーナーにドラギングすることで選択できる。尚、前記所定領域はアクティブイメージ内に現在ディスプレイされているウィンドウをクリックしたり、又はキーボード（図示せず）に提供されている１以上のキーボタンを押すことによっても簡単に選択できる。
【００１６】
ユーザがハイライトのために所定領域を選択するとき、アプリケーションユニットは前記選択したハイライト領域の座標情報を記憶する。前記座標情報は前記アクティブイメージの基準点（例えば、図２に示すＰｏ’）に対して選択された領域の上部及び下部エッジの垂直位置であるＶ＿ＳＴＡＲＴ及びＶ＿ＥＮＤを含む。
【００１７】
前記アプリケーションユニット１０２は前記基準点に対して選択された領域の左側及び右側エッジの水平位置のＨ＿ＳＴＡＲＴ及びＨ＿ＥＮＤを更に記憶できるが、これらの情報は本発明による選択領域をハイライティングするのに必ずしも求められることではない。アプリケーションユニット１０２によって記憶される垂直位置の値はラインにて示されるが、水平位置の値は画素にて示される。これはアクティブイメージの任意点の垂直及び水平位置が各々ライン及び画素になる座標系を用いるからである。
【００１８】
アプリケーションユニット１０２が要求する座標情報を貯蔵した後、前記ユニットはアクティブイメージの一番目のラインに１個のラインパターンを追加する。前記パターンはユーザ選択領域の座標情報（Ｖ＿ＳＴＡＲＴ、Ｖ＿ＥＮＤ）、制御コード、及びパターン認証コード（例えば、チェックサム（checksum））を含むパターンデータを含んでいる。前記パターンはユーザ選択領域の水平位置を示す位置情報を更に含むことができる。前記制御コードは１以上のユーザ選択領域をハイライトさせるための輝度パラメーター及び／又はコントラスト又は強調パラメーターなどのような他の映像パラメーターを含んでいるコードである。前記アプリケーションユニット１０２はＣＲＴモニター２００の動作が伝送されたパターンのデータが伝送時変更されなかったことを保障し、映像信号の任意の非パターン部分をパターンとして認識することを防止できるようにするチェックサムのようなパターン認証コードを含むことでパターンに適切な伝送を保障する。典型的にチェックサムは前記アプリケーションユニット１０２及びＣＲＴモニター２００が決められる伝送パターンデータ内の全てのテキストの代表値のサムを示す数である。その後レシーバーはパターンに含まれたチェックサムとＣＲＴモニター２００により決められるチェックサムとを比較することでパターンのデータを確認することができる。
【００１９】
図１を参照すると、イメージソースデバイス１００のビデオカード１０１がアプリケーションユニット１０２からパターンの付加されたアクティブイメージを定義するイメージ情報を受信した後、前記ビデオカード１０１は受信したイメージ情報を処理してＣＲＴモニター２００の動作を制御する水平及び垂直同期信号（Ｈ−ＳＹＮＣ、Ｖ−ＳＹＮＣ）とＲ／Ｇ／Ｂ信号を生成する。その後、前記ＣＲＴモニター２００のハイライトビデオ前段増幅器２０１は前記Ｒ／Ｇ／Ｂ信号とＳＹＮＣ信号を受信し、ユーザ選択領域にハイライティング機能を行う。続いて前記既に増幅されたＲ／Ｇ／Ｂ信号は各々のＲ／Ｇ／Ｂ信号を増幅し前記増幅された信号をＣＲＴ２０５に送信する主ビデオ増幅器２０３に伝送する。
【００２０】
図３はＣＲＴモニター２００がビデオカード１０１から受信するＲ／Ｇ／Ｂ信号及びＳＹＮＣ信号に応答してＣＲＴ２０５にディスプレイされる実際のイメージを示す図である。図３を参照するとＣＲＴ２０５に実際にディスプレイされるイメージはアプリケーションユニット２０１がビデオカード１０１に伝送するアクティブイメージと全く一致するものではないが、前記ＣＲＴモニター２００とアプリケーションユニット１０２との間の互いに異なるディスプレイセッティングによって前記アクティブイメージより多少大きい全体のイメージであるということに注目すべきである。
【００２１】
図３に示すように、全体のイメージ上の点の位置を表現するために用いられる座標系は図２に示すようなアクティブイメージの座標系とは違う。これは全体のイメージにおける任意の点の位置が、アクティブイメージ上の基準点（Ｐｏ’）ではない全体のイメージ上の基準点（Ｐｏ”）に関して測定されることを意味している。また、ＣＲＴモニターがビデオカード１０１から受信するＲ／Ｇ／Ｂ信号とＳＹＮＣ信号との間に遅延（Delay）がしばしば発生する。
こうした遅延は全体のイメージとアクティブイメージとの間の座標不一致を悪化させる。
【００２２】
図４はハイライトビデオ前段増幅器２０１がビデオカード１０１から受信するパターンを含むビデオライン信号及び実際のＶ−ＳＹＮＣ及びＨ−ＳＹＮＣを示す。前記のようにアクティブイメージの第１のラインに対応するビデオ信号は一つのパターン信号を含む。前記パターン信号はＰＣＬＯＣＫ、ＰＤＡＴＡ及びＰＷＩＮＤＯＷ信号からなり、これらの各々は例えば、第１のＲ／Ｇ／Ｂ信号に各々含まれる。図３及び図４に関しては後述する。
【００２３】
図５を参照して本発明によるイメージディスプレイ装置において、ユーザ選択領域の輝度の制御方法に対して詳述する。
先ず、ＣＲＴモニターのハイライトビデオ前段増幅器２０１はイメージソースデバイス１００のビデオカード１０１からＲ／Ｇ／Ｂ信号とＨ−ＳＹＮＣ及びＶ―ＳＹＮＣ信号の受信を開始する（Ｓ５０１）。
【００２４】
図４を参照すると、前記前段増幅器２０１は初期に時間＝Ｔ１でＶ―ＳＹＮＣパルス及び第１のＨ−ＳＹＮＣパルスを検出する（Ｓ５０２）。前記検出されたＳＹＮＣパルスなどは図３に示すように、全体のイメージの第１のビデオラインの開始点（Ｐｏ”）に当たる。Ｔ１とＴ２上で前記前段増幅器２０１はＨ−ＳＹＮＣパルスなどを更に検出し前記前段増幅器２０１のラインカウンタはＴ２前に前段増幅器２０１によって検出されたビデオラインのライン数を継続してカウントする。
【００２５】
時間＝Ｔ２で前記前段増幅器２０１はアクティブイメージの一番目のラインを含む全体のイメージのビデオラインの開始に当たるＨ−ＳＹＮＣパルスを検出する（Ｓ５０３）。その後、前記前段増幅器２０１は時間＝Ｔ３でＰＣＬＯＣＫ信号の第１の上昇エッジを検出する（Ｓ５０８）。この時前記前段増幅器２０１はアクティブイメージの一番目のラインを含むビデオラインを検出する前に前記前段増幅器２０１によって検出されたビデオラインの数を示すＶ＿ＯＦＦＳＥＴを決定することができる（Ｓ５０９）。前記Ｖ＿ＯＦＦＳＥＴは前記前段増幅器２０１のラインカウンタによってカウントされた数によって簡単に計算できる。
【００２６】
又、前記前段増幅器２０１は受信したＰＤＡＴＡ信号からパターンデータを抽出する（Ｓ５１０）。前記ＰＤＡＴＡは図４に示すように、その内部に含まれた実際のパターンデータによって“０”又は“１”を含む信号である。前記のように抽出されたパターンデータはＶ＿ＳＴＡＲＴ、Ｖ＿ＥＮＤ、制御コード及びチェックサムを含む。
Ｖ＿ＳＴＡＲＴ、Ｖ＿ＥＮＤはアクティブイメージ上の基準点（例えば、図２に示すＰｏ’）に対してユーザ選択領域の上部及び下部エッジの垂直位置を示す。前記制御コードはユーザ選択領域をハイライティングするための輝度パラメーター及び／又はコントラスト、色温度、数差又は強調パラメーターのようなその他の類型のビデオパラメーターを含むコードである。
【００２７】
前記チェック合計はモニター２００の前段増幅器２０１を以てパターンデータを認証できるようにするためのパターン認証コードである。
前記パターンは全体のイメージ上の基準点（例えば、図３に示すＰｏ”）に対するユーザ選択領域の水平位置を示すＰＷＩＮＤＯＷ信号を含んでいる。時間＝Ｔ４で、前段増幅器２０１はＰＷＩＮＤＯＷ信号の上昇エッジを検出する（Ｓ５０４）。その後、前記前段増幅器２０１はＴ２とＴ４と間に存在する画素などの数をカウントするピクセルカウンタを用いて、全体のイメージ上のＰｏ”に対して図３に示すユーザ選択領域の左側エッジの水平位置を示すＲＣＶ＿Ｈ＿ＳＴＡＲＴを決定する。前記ピクセルカウンタは各々の画素をカウントするためにマイクロコンピューター２０２によって提供される画素周波数値を用いる。その後前記前段増幅器２０１はＴ５からＰＷＩＮＤＯＷ信号の下降エッジを検出する（Ｓ５０６）。同様に、前記前段増幅器２０１はＴ２とＴ５との間に存在する画素の数をカウントするピクセルカウンタを用いて全体のイメージ上のＰｏ”に対して図３に示すユーザ選択領域の右側エッジの水平位置を示すＲＣＶ＿Ｈ＿ＥＮＤを決定する（Ｓ５０７）。
【００２８】
前記ＲＣＶ＿Ｈ＿ＥＮＤがステップＳ５０７から得られパターンデータがステップＳ５１０から完全に受信された後、前記前段増幅器２０１は前記パターンデータに含まれたチェックサムと自身が決定するチェックサムとを比較することで前記パターンデータが有効であるかを判断する（Ｓ５１１）。有効ではないと判定されると、前記前段増幅器２０１はステップＳ５０２ないしＳ５１１を繰り返す。有効なもので判定すると、前記前段増幅器２０１は次の式を用いて図６に示すように、全体のイメージの基準点に対する実際のハイライト領域の座標パラメーターを次式により計算する（Ｓ５１２）。
【００２９】
ＷＩＮ＿Ｖ＿ＳＴＡＲＴ＝Ｖ＿ＯＦＦＳＥＴ＋Ｖ＿ＳＴＡＲＴ
ＷＩＮ＿Ｖ＿ＥＮＤ＝Ｖ＿ＯＦＦＳＥＴ＋Ｖ＿ＥＮＤ
ＷＩＮ＿Ｈ＿ＳＴＡＲＴ＝ＲＣＶ＿Ｈ＿ＳＴＡＲＴ
ＷＩＮ＿Ｈ＿ＥＮＤ＝ＲＣＶ＿Ｈ＿ＥＮＤ
Ｖ＿ＢＬＡＮＫＰＯＳ＝Ｖ＿ＯＦＦＳＥＴ
【００３０】
図６は前記式を用いて計算する実際のハイライト領域の座標パラメーターなどのグラフィック表現を表す。図示のように、ＷＩＮ＿Ｖ＿ＳＴＡＲＴ及びＷＩＮ＿Ｖ＿ＥＮＤは基準点Ｐｏ”に対するハイライト領域の上部及び下部エッジの垂直位置を示し、ＷＩＮ＿Ｈ＿ＳＴＡＲＴ及びＷＩＮ＿Ｈ＿ＥＮＤは前記基準点に対するハイライト領域の左側及び右側エッジの水平位置を示す。
又、Ｖ＿ＢＬＡＮＫＰＯＳは選択的に消去できる全体のイメージのビデオラインの垂直位置を示す。図６に示すように、アクティブイメージの一番目のビデオラインを含むビデオラインを消去することでユーザはモニター上のパターンラインを認識することを妨害されない。
【００３１】
図５を参照すると、ハイライト領域の全ての座標パラメーターが計算される時、前段増幅器２０１はハイライト領域のハイライトパラメーターを制御コードに含まれる輝度パラメーター値に設定し、前記パラメーターはステップＳ５１０で抽出したパターンデータに含まれる（Ｓ５１３）。最後に前記前段増幅器２０１はハイライト領域の輝度利得を増幅することでハイライト領域上のハイライト機能を行い、その位置は図６に示すように、ＷＩＮ＿Ｖ＿ＳＴＡＲＴ、ＷＩＮ＿Ｖ＿ＥＮＤ、ＷＩＮ＿Ｈ＿ＳＴＡＲＴ、及びＷＩＮ＿Ｈ＿ＥＮＤによって定義される（Ｓ５１４）。
【００３２】
尚、ＷＩＮ＿Ｈ＿ＳＴＡＲＴ及びＷＩＮ＿Ｈ＿ＥＮＤは次の式
ＷＩＮ＿Ｈ＿ＳＴＡＲＴ＝ＲＣＶ＿Ｈ＿ＳＴＡＲＴ＋ＨＤＥＬＡＹ１及び
ＷＩＮ＿Ｈ＿ＥＮＤ＝ＲＣＶ＿Ｈ＿ＥＮＤ＋ＨＤＥＬＡＹ２
を用いることによって計算でき、ここで、ＨＤＥＬＡＹ１及びＨＤＥＬＡＹ２は輝度利得の増幅時アナログ入力とハードウェアの出力間から発生する遅延を補償するために付加する補正値である。
【００３３】
以上説明したように、本発明のイメージディスプレイ装置のユーザ選択領域輝度の制御方法によると、次のような効果がある。
第一、全体画面の輝度を増加しなくてもユーザが選択した領域の画質を改善できる。
第二、ビデオカードから受信するビデオ信号と水平同期信号との間に発生する遅延を補償できる。
第三、ＰＣのＣＲＴモニターとアプリケーションとの間の互いに異なるディスプレイセッティングによる垂直オフセットを補償することができる。
【００３４】
以上本発明の好適な一実施形態に対して説明したが、前記実施形態のものに限定されるわけではなく、本発明の技術思想に基づいて種々の変形が可能である。
【図面の簡単な説明】
【００３５】
【図１】本発明によるイメージディスプレイシステムを示す図である。
【図２】ＰＣのアプリケーションによって生成される映像情報によってディスプレイされるアクティブイメージの一例を示す図である。
【図３】映像信号及び同期信号に基づきディスプレイした映像の一例を示す図である。
【図４】同期信号及びパターンライン信号を示す図である。
【図５】本発明によるモニター画面においてユーザ選択領域の輝度を制御する方法を示すフローチャートである。
【図６】本発明によって計算したハイライト領域の座標パラメーターなどのグラフィックディスプレイを示す図である。
【符号の説明】
【００３６】
１００    イメージソースデバイス
１０１    ビデオカード
１０２    アプリケーション
２００    ＣＲＴモニター
２０１    ハイライトビデオ前段増幅器
２０２    マイクロコンピューター
２０３    主ビデオ増幅器
２０３    パネルキー
２０５    ＣＲＴ
【図１】
2006189889.tif 000003
【図２】
2006189889.tif 000004
【図３】
2006189889.tif 000005
【図４】
2006189889.tif 000006
【図５】
2006189889.tif 000007
【図６】
2006189889.tif 000008
【手続補正書】
【提出日】平成18年2月17日(2006.2.17)
【手続補正１】
【補正対象書類名】特許請求の範囲
【補正対象項目名】全文
【補正方法】変更
【補正の内容】
【特許請求の範囲】
【請求項１】
複数のイメージラインからなるイメージフレームであって、この複数のイメージラインのいずれかにラインパターンを含むイメージフレームを受信し、
表示する前記イメージフレームの一番目のイメージラインの開始点を新しい基準点に決定し、
前記表示するイメージフレームの前記複数のイメージラインのいずれかに含まれた前記ラインパターンであって、かつ前記イメージフレーム内のユーザに選択されたサブ領域の両垂直エッジと水平位置が合わされた両端を有するインディケーター信号を含むラインパターンを検出し、
前記基準点から前記両垂直エッジまでの水平距離を測定し、
前記選択されたサブ領域に対応するハイライト領域を、前記測定した水平距離から前記ハイライト領域の水平座標値を計算することによって識別し、
識別した前記ハイライト領域の輝度利得を増幅する、
ことを特徴とするイメージディスプレイ装置のユーザ選択領域輝度の制御方法。
【請求項２】
前記パターンに含まれる輝度パラメーターに従って、前記輝度利得を増幅することを特徴とすることを特徴とする請求項１に記載のイメージディスプレイ装置のユーザ選択領域輝度の制御方法。
【請求項３】
さらに、
前記ラインパターンに含まれるオリジナルチェックサムを検出し、
前記パターンの検証のために、新しいチェックサムを計算して前記新しいチェックサムを前記オリジナルチェックサムと比較する、
ことを特徴とする請求項１に記載のイメージディスプレイ装置のユーザ選択領域輝度の制御方法。
【請求項４】
前記ハイライト領域の座標値を、前記パターンが検証された場合にのみ計算することを特徴とする請求項３に記載のイメージディスプレイ装置のユーザ選択領域輝度の制御方法。
【請求項５】
前記パターンが含まれたイメージラインの開始点から前記インディケーター信号の両端までの水平距離を測定することによって、前記両垂直エッジまでの水平距離を測定することを特徴とする請求項１に記載のイメージディスプレイ装置のユーザ選択領域輝度の制御方法。
【請求項６】
前記パターンが含まれたイメージラインの開始点と前記インディケーター信号の両端との間の画素数をカウントすることによって、前記インディケーター信号の両端までの水平距離を測定することを特徴とする請求項５に記載のイメージディスプレイ装置のユーザ選択領域輝度の制御方法。
【請求項７】
前記パターンは、前記パターンが含まれたイメージラインから前記ユーザに選択された領域までの垂直距離に関する情報を、さらに含んでいることを特徴とする請求項１に記載のイメージディスプレイ装置のユーザ選択領域輝度の制御方法。
【請求項８】
前記基準点と前記パターンが含まれたイメージラインとの間の垂直オフセット距離を用いて前記ハイライト領域の垂直座標値をさらに計算することにより、前記ハイライト領域を識別することを特徴とする請求項７に記載のイメージディスプレイ装置のユーザ選択領域輝度の制御方法。
【請求項９】
前記ハイライト領域の水平座標値が、測定した前記両垂直エッジまでの水平距離と同一であることを特徴とする請求項１に記載のイメージディスプレイ装置のユーザ選択領域輝度の制御方法。
【請求項１０】
複数のイメージラインからなるイメージフレームであって、この複数のイメージラインのいずれかにラインパターンを含むイメージフレームを受信し、
表示する前記イメージフレームの一番目のイメージラインの開始点を新しい基準点に決定し、
前記表示するイメージフレームの前記複数のイメージラインのいずれかに含まれた前記ラインパターンであって、かつ前記ラインパターンを含んだ前記イメージラインから前記イメージフレーム内のユーザに選択されたサブ領域までの垂直距離値に関する情報を含んだラインパターンを検出し、
前記基準点と前記パターンが含まれたイメージラインとの間の垂直オフセット距離を測定し、
前記選択されたサブ領域に対応するハイライト領域を、前記測定したオフセット距離から前記ハイライト領域の垂直座標値を計算することによって識別し、
識別した前記ハイライト領域の輝度利得を増幅する、
ことを特徴とするイメージディスプレイ装置のユーザ選択領域輝度の制御方法。
【請求項１１】
前記パターンに含まれる輝度パラメーターに従って、前記輝度利得を増幅することを特徴とすることを特徴とする請求項１０に記載のイメージディスプレイ装置のユーザ選択領域輝度の制御方法。
【請求項１２】
さらに、
前記ラインパターンに含まれるオリジナルチェックサムを検出し、
前記パターンの検証のために、新しいチェックサムを計算して前記新しいチェックサムを前記オリジナルチェックサムと比較する、
ことを特徴とする請求項１０に記載のイメージディスプレイ装置のユーザ選択領域輝度の制御方法。
【請求項１３】
前記ハイライト領域の座標値を、前記パターンが検証された場合にのみ計算することを特徴とする請求項１２に記載のイメージディスプレイ装置のユーザ選択領域輝度の制御方法。
【請求項１４】
前記基準点と前記パターンが含まれたイメージラインとの間の各イメージラインをカウントすることによって、前記垂直オフセット距離を測定することを特徴とする請求項１０に記載のイメージディスプレイ装置のユーザ選択領域輝度の制御方法。
【請求項１５】
前記パターンは、前記ユーザに選択されたサブ領域の両垂直エッジと水平位置が合わされた両端を有するインディケーター信号を、さらに含むことを特徴とする請求項１０に記載のイメージディスプレイ装置のユーザ選択領域輝度の制御方法。
【請求項１６】
前記基準点から前記垂直エッジまでの水平距離を用いて前記ハイライト領域の水平座標値をさらに計算することによって、前記ハイライト領域を識別することを特徴とする請求項１５に記載のイメージディスプレイ装置のユーザ選択領域輝度の制御方法。
【請求項１７】
前記ユーザに選択された領域までの垂直距離に、前記測定したオフセット距離値を加えて、前記ハイライト領域の垂直座標値を得ることを特徴とする請求項１０に記載のイメージディスプレイ装置のユーザ選択領域輝度の制御方法。
【請求項１８】
複数のイメージラインからなるイメージフレームであって、この複数のイメージラインのいずれかにラインパターンを含むイメージフレームを受信し、
表示する前記イメージフレームの一番目のイメージラインの開始点を新しい基準点に決定し、
前記表示するイメージフレームの前記複数のイメージラインのいずれかに含まれた前記ラインパターンであって、かつ前記イメージフレーム内のユーザに選択されたサブ領域の両垂直エッジと水平位置が合わされた両端を有するインディケーター信号と、前記ラインパターンを含んだ前記イメージラインから前記サブ領域までの垂直距離値に関する情報と、を含むラインパターンを検出し、
前記基準点から前記両垂直エッジまでの水平距離と、前記基準点と前記パターンが含まれたイメージラインとの間の垂直オフセット距離と、を測定し、
前記選択されたサブ領域に対応するハイライト領域を、前記測定した水平距離から前記ハイライト領域の水平座標値を計算し、前記測定したオフセット距離から前記ハイライト領域の垂直座標値を計算することによって識別し、
識別した前記ハイライト領域の輝度利得を増幅する、
ことを特徴とするイメージディスプレイ装置のユーザ選択領域輝度の制御方法。
【請求項１９】
前記パターンに含まれる輝度パラメーターに従って、前記輝度利得を増幅することを特徴とすることを特徴とする請求項１８に記載のイメージディスプレイ装置のユーザ選択領域輝度の制御方法。
【請求項２０】
さらに、
前記ラインパターンに含まれるオリジナルチェックサムを検出し、
前記パターンの検証のために、新しいチェックサムを計算して前記新しいチェックサムを前記オリジナルチェックサムと比較する、
ことを特徴とする請求項１８に記載のイメージディスプレイ装置のユーザ選択領域輝度の制御方法。
【請求項２１】
前記ハイライト領域の水平座標値及び垂直座標値を、前記パターンが検証された場合にのみ計算することを特徴とする請求項２０に記載のイメージディスプレイ装置のユーザ選択領域輝度の制御方法。
【請求項２２】
前記パターンが含まれたイメージラインの開始点から前記インディケーター信号の両端までの水平距離を測定することによって、前記両垂直エッジまでの水平距離を測定することを特徴とする請求項１８に記載のイメージディスプレイ装置のユーザ選択領域輝度の制御方法。
【請求項２３】
前記パターンが含まれたイメージラインの開始点と前記インディケーター信号の両端との間の画素数をカウントすることによって、前記インディケーター信号の両端までの水平距離を測定することを特徴とする請求項２２に記載のイメージディスプレイ装置のユーザ選択領域輝度の制御方法。
【請求項２４】
前記基準点と前記パターンが含まれたイメージラインとの間の各イメージラインをカウントすることによって、前記垂直オフセット距離を測定することを特徴とする請求項１８に記載のイメージディスプレイ装置のユーザ選択領域輝度の制御方法。
【請求項２５】
前記ハイライト領域の水平座標値が、測定した前記両垂直エッジまでの水平距離と同一であることを特徴とする請求項１８に記載のイメージディスプレイ装置のユーザ選択領域輝度の制御方法。
【請求項２６】
前記ユーザに選択された領域までの垂直距離に、前記測定したオフセット距離値を加えて、前記ハイライト領域の垂直座標値を得ることを特徴とする請求項１８に記載のイメージディスプレイ装置のユーザ選択領域輝度の制御方法。
【請求項２７】
イメージディスプレイ装置のユーザ選択領域輝度の制御方法であって、
ユーザによって選択された、前記イメージディスプレイ装置の画像表示領域よりも小さな、該画像表示領域内のユーザ選択領域を指定する入力をイメージ供給装置によって受信し、
前記ユーザ選択領域の座標情報を含むラインパターンであって、かつ前記ユーザ選択領域の両垂直エッジと水平位置が合わされた両端を有するインディケーター信号を有するラインパターンを、前記イメージ供給装置によって元のイメージに加え、
複数のイメージラインからなるイメージフレームであって、この複数のイメージラインのいずれかに前記ラインパターンを含むイメージフレームを受信し、
表示する前記イメージフレームの一番目のイメージラインの開始点を新しい基準点に決定し、
前記元のイメージのイメージラインに含まれた前記ラインパターンを、前記イメージディスプレイ装置を駆動するモニタデバイスによって検出し、
前記基準点から前記両垂直エッジまでの水平距離を測定し、
前記ユーザ選択領域に対応するハイライト領域を、前記測定した水平距離から前記ハイライト領域の水平座標値を計算することによって識別し、
識別した前記ハイライト領域の輝度利得を増幅する、
ことを特徴とするユーザ選択領域輝度の制御方法。
【請求項２８】
イメージディスプレイ装置のユーザ選択領域輝度の制御方法であって、
ユーザによって選択された、前記イメージディスプレイ装置の画像表示領域よりも小さな、該画像表示領域内のユーザ選択領域を指定する入力をイメージ供給装置によって受信し、
前記ユーザ選択領域の座標情報を与えるラインパターンを、前記イメージ供給装置によって元のイメージに加え、
複数のイメージラインからなるイメージフレームであって、この複数のイメージラインのいずれかに前記ラインパターンを含むイメージフレームを受信し、
表示する前記イメージフレームの一番目のイメージラインの開始点を新しい基準点に決定し、
前記元のイメージのイメージラインに含まれ、かつ前記ユーザ選択領域の上端及び下端と前記パターンが含まれたイメージラインとの間のそれぞれ垂直距離を含む前記ラインパターンを、前記イメージディスプレイ装置を駆動するモニタデバイスによって検出し、
前記基準点と前記パターンが含まれたイメージラインとの間の垂直オフセット距離を測定し、
前記ユーザ選択領域に対応するハイライト領域を、前記測定したオフセット距離から前記ハイライト領域の垂直座標値を計算することによって識別し、
識別した前記ハイライト領域の輝度利得を増幅する、
ことを特徴とするユーザ選択領域輝度の制御方法。